(57)【要約】【課題】水圧などの外部からの圧力に起因した振動板の変形にともなう音質の劣化を抑制することができる電気音響変換装置を提供する。【解決手段】振動板１０は、ボイスコイル５０が取り付けられた裏面Ｓ２と、裏面Ｓ２に対向する表面Ｓ１とを有する。また振動板１０は、中央部１４と、中央部１４を取り囲みかつボイスコイル５０が取り付けられた境界部１３と、境界部１３を取り囲む外周部１２と、外周部１２を取り囲む縁部１１とを有する。フレーム２０は、振動板１０の裏面Ｓ２を支持する支持部２１を有する。外周部１２は、縁部１１を基準として表面Ｓ１から裏面Ｓ２に向かう厚さ方向へ突出した凸形状を有する。【選択図】図４
2012010148.tif 000002
【特許請求の範囲】
【請求項１】
ボイスコイルと、
前記ボイスコイルが取り付けられた裏面と前記裏面に対向する表面とを有し、中央部と、前記中央部を取り囲みかつ前記ボイスコイルが取り付けられた境界部と、前記境界部を取り囲む外周部と、前記外周部を取り囲む縁部とを有する振動板と、
前記振動板の前記裏面を支持する支持部を有するフレームとを備え、
前記外周部は、前記縁部を基準として前記表面から前記裏面に向かう厚さ方向へ突出した凸形状を有する、電気音響変換装置。
【請求項２】
前記中央部は、前記境界部を基準として前記厚さ方向へ突出した凸形状を有する、請求項１に記載の電気音響変換装置。
【請求項３】
前記中央部は、前記厚さ方向へ最も突出した部分として平坦部を有する、請求項２に記載の電気音響変換装置。
【請求項４】
前記ボイスコイルに磁界を印加するための、第１の底面を有するヨークをさらに備え、
前記フレームは、前記第１の底面を取り囲む第２の底面を有し、
前記第１および第２の底面は同一平面上に位置する、請求項１〜３のいずれか１項に記載の電気音響変換装置。
【請求項５】
前記ボイスコイルに磁界を印加するための、第１の底面を有するヨークをさらに備え、
前記フレームは、前記第１の底面を取り囲む第２の底面を有し、
前記第２の底面は前記第１の底面よりも前記厚さ方向へ突出している、請求項１〜３のいずれか１項に記載の電気音響変換装置。
【請求項６】
前記ボイスコイルに磁界を印加するための磁気回路部をさらに備え、
前記厚さ方向において、前記磁気回路部と前記外周部との間のクリアランスは、前記磁気回路部と前記中央部との間のクリアランスよりも大きい、請求項１〜３のいずれか１項に記載の電気音響変換装置。
【請求項７】
前記フレームは、前記厚さ方向において前記外周部と空間を介して対向しており、かつ前記空間とフレームの外部の空間とを連通させる連通路を有し、
前記連通路は前記支持部の外側側面に開口部を有する、請求項１〜６のいずれか１項に記載の電気音響変換装置。
【発明の詳細な説明】
【技術分野】
【０００１】
本発明は、電気音響変換装置に関し、特にボイスコイルが取り付けられた振動板を有する電気音響変換装置に関するものである。
【背景技術】
【０００２】
携帯電話、デジタルスチルカメラなどの電気機器には、電気音響変換装置が搭載されている。電気音響変換装置とは、電気信号と音響信号との間の変換を行う装置であって、たとえば、スピーカ、レシーバ、またはマイクであり、振動板を有している。振動板としては、中央部と、中央部を取り囲みかつボイスコイルが取り付けられた境界部と、境界部を取り囲む外周部と、外周部を取り囲む縁部とを有するものが広く用いられている。スピーカにおいては、振動板を振動させるために、縁部が固定された状態で境界部がボイスコイルによって変位される。その際、縁部と境界部との間の距離が変化するので、この距離の変化に対応できるように、振動板の縁部および境界部の間の部分、すなわち外周部は、厚さ方向に凸形状を有する。この凸形状の突起の程度が微少変化することによって上記距離の変化に対応することができる。
【０００３】
近年、上述した電気機器の防水性能の向上が求められている。これに対応して、たとえば特許文献１に開示されているように、外部からの水の浸入を振動板によって防止する、防水型スピーカが提案されている。
【先行技術文献】
【特許文献】
【０００４】
【特許文献１】特許第３８９２３８８号公報（図２および図５）
【発明の概要】
【発明が解決しようとする課題】
【０００５】
外部からの水の浸入が振動板によって防止される際、外部から振動板に加わる水圧によって、上述した振動板の外周部が変形してしまうことがあった。この変形が大きいと音質が劣化してしまう。またこの変形が特に大きいと、水圧が除去されても振動板が元の形状に復元しないことがあり、この場合は振動板の変形にともなう音質の劣化が恒久的なものとなってしまう。
【０００６】
本発明は、上記課題を鑑みてなされたものであり、その目的は、水圧などの外部からの圧力に起因した振動板の変形にともなう音質の劣化を抑制することができる電気音響変換装置を提供することである。
【課題を解決するための手段】
【０００７】
本発明の電気音響変換装置は、ボイスコイルと振動板とフレームとを有する。振動板は、ボイスコイルが取り付けられた裏面と、裏面に対向する表面とを有する。また振動板は、中央部と、中央部を取り囲みかつボイスコイルが取り付けられた境界部と、境界部を取り囲む外周部と、外周部を取り囲む縁部とを有する。フレームは、振動板の裏面を支持する支持部を有する。外周部は、縁部を基準として表面から裏面に向かう厚さ方向へ突出した凸形状を有する。
【０００８】
本発明によれば、外周部が有する凸形状は、表面から裏面に向かう厚さ方向、すなわち水圧方向に突出している。よって振動板に水圧がかかっても、外周部の突出の方向が水圧方向と反対方向から水圧方向へと入れ替わるような振動板の変形は生じない。よって突出の方向が入れ替わるような振動板の大きな変形を防止することができる。
【０００９】
また上記の外周部の凸形状は、水圧方向に縁部を基準として突出している。すなわち凸形状の部分は縁部よりも水圧方向に位置している。言い換えれば、縁部は、凸形状の部分よりも水圧方向と反対方向に位置している。これにより、水圧がかかった際、縁部は、凸形状の部分を水圧方向と反対方向に引っ張る。よって、凸形状の部分がその突出の方向を保ちつつ水圧方向に変位するような振動板の変形を抑制することができる。
【００１０】
好ましくは、中央部は、境界部を基準として厚さ方向へ突出した凸形状を有する。言い換えれば、中央部が有する凸形状は、表面から裏面に向かう厚さ方向、すなわち水圧方向に突出している。よって振動板に水圧がかかっても、中央部の突出の方向が水圧方向と反対方向から水圧方向へと入れ替わるような振動板の変形は生じない。よって突出の方向が入れ替わるような振動板の大きな変形を防止することができる。
【００１１】
また上記の中央部の凸形状は、水圧方向に境界部を基準として突出している。すなわち凸形状の部分は境界部よりも水圧方向に位置している。言い換えれば、境界部は、凸形状の部分よりも水圧方向と反対方向に位置している。これにより、水圧がかかった際、境界部は、凸形状の部分を水圧方向と反対方向に引っ張る。よって、凸形状の部分がその突出の方向を保ちつつ水圧方向に変位するような振動板の変形を抑制することができる。
【００１２】
好ましくは、中央部は、厚さ方向へ最も突出した部分として平坦部を有する。これにより中央部が厚さ方向、すなわち水圧方向へと変位して他の構造と接触した際の接触面積を大きくすることができる。よってこの接触に伴う中央部の変形を小さくすることができる。
【００１３】
好ましくは、電気音響変換装置は、ボイスコイルに磁界を印加するための、第１の底面を有するヨークを有する。またフレームは、第１の底面を取り囲む第２の底面を有する。第１および第２の底面は同一平面上に位置してもよく、この場合、ヨークおよびフレームの各々の底面の両方を容易に押さえつけることができる。あるいは、第２の底面は第１の底面よりも厚さ方向へ突出していてもよく、この場合、第２の底面を容易に押さえつけることができる。いずれの場合においても、筐体へ向かってヨークのみが強く押さえつけられることに起因する電気音響変換装置の変形が防止されるので、この変形にともなう水漏れが防止される。
【００１４】
好ましくは、電気音響変換装置は、ボイスコイルに磁界を印加するための磁気回路部をさらに有する。厚さ方向において、磁気回路部と外周部との間のクリアランスは、磁気回路部と中央部との間のクリアランスよりも大きい。これにより振動板が水圧によって厚さ方向、すなわち水圧方向に変位した際に、中央部が外周部よりも先に磁気回路部と接触する。この接触によって振動板の中央部が磁気回路部に支持されるので、振動板のさらなる変形が抑制される。この結果、外周部と磁気回路部との接触が防止されるので、外周部と磁気回路部との間に挟み込まれることによるリード線の損傷が防止される。
【００１５】
好ましくは、フレームは、厚さ方向において外周部と空間を介して対向しており、かつ空間とフレームの外部の空間とを連通させる連通路を有する。連通路は支持部の外側側面に開口部を有する。これにより、開口部がフレームの底面ではなく外側側面に設けられるので、フレームの底面上に部材が配置されても、連通路を介した空気の流れが阻害されない。
【発明の効果】
【００１６】
以上説明したように、本発明の電気音響変換装置によれば、水圧に起因する振動板の変形を抑制することによって、この変形にともなう音質の劣化を防止することができる。
【図面の簡単な説明】
【００１７】
【図１】本発明の実施の形態１における電気音響変換装置としてのスピーカの構成を概略的に示す平面図である。
【図２】図１の概略正面図である。
【図３】図１の概略底面図である。
【図４】図１の線ＩＶ−ＩＶに沿う概略断面図である。
【図５】図１の線Ｖ−Ｖに沿う概略断面図である。
【図６】比較例のスピーカの構成を示す断面図である。
【図７】本発明の実施の形態２における電気音響変換装置としてのスピーカの構成を概略的に示す断面図であり、図４の断面位置に対応する断面図である。
【図８】本発明の実施の形態２における電気音響変換装置としてのスピーカの構成を概略的に示す断面図であり、図５の断面位置に対応する断面図である。
【図９】本発明の実施の形態３における電気音響変換装置としてのスピーカの構成を概略的に示す断面図であり、図４の断面位置に対応する断面図である。
【図１０】実施の形態４における電気音響変換装置としてのスピーカの構成を概略的に示す断面図であり、図５の断面位置に対応する断面図である。
【発明を実施するための形態】
【００１８】
以下、図面に基づいて本発明の実施の形態を説明する。
（実施の形態１）
図１〜図５を参照して、本実施の形態の電気音響変換装置はスピーカ１０１である。なお各図はスピーカ１０１に水圧が加わっていない場合の状態を示している。また図４および図５において、スピーカ１０１に加えて、筐体９０と、両面テープ９１と、取付部材９２とを、２点鎖線によって示す。筐体９０は、スピーカ１０１によって塞がれる開口部を有する。筐体９０およびスピーカ１０１は互いに両面テープ９１によって固定されている。筐体９０は電気機器の筐体であり、筐体９０に設けられた開口部を塞ぐようにスピーカ１０１が取り付けられている。取付部材９２はスピーカ１０１の裏側（図４および５における下側）を押さえつけており、これにより、スピーカ１０１が筐体９０へ押し付けられるので、スピーカ１０１と筐体９０との間の水漏れが防止される。取付部材９２は弾性部材を含んでもよく、その場合、取付部材９２の弾性によってスピーカ１０１が筐体９０に押し付けられる。
【００１９】
スピーカ１０１は、ボイスコイル５０と、リード線５１と、振動板１０と、フレーム２０と、磁気回路部３０と、カバー４０とを有する。
【００２０】
振動板１０は、ボイスコイル５０が取り付けられた裏面Ｓ２と、裏面Ｓ２に対向する表面Ｓ１とを有する。また振動板１０は、中央部１４と、中央部１４を取り囲みかつボイスコイル５０が取り付けられた境界部１３と、境界部１３を取り囲む外周部１２と、外周部１２を取り囲む縁部１１とを有する。縁部１１がフレーム２０に固定されていることで、振動板１０の縁部１１以外の部分、すなわち、外周部１２と、境界部１３と、中央部１４とは、振動可能に保持されている。また境界部１３に固定されたボイスコイルによって、振動板１０を振動させるために振動板１０を駆動することができる。振動板１０は、水を透過しない材料から作られている。そのような材料としては、たとえば合成樹脂がある。合成樹脂としては、たとえばＰＥＴ（ポリエチレンテレフタレート）、ＰＥＮ（ポリエチレンナフタレート）またはＰＥＩ（ポリエーテルイミド）などが用いられる。
【００２１】
外周部１２は、矢印Ｖ１（図４および図５）に示すように、縁部１１を基準として下方向（表面Ｓ１から裏面Ｓ２に向かう厚さ方向）へ突出した凸形状を有する。つまり外周部１２は、縁部１１よりも下へ突出するような凸形状を有する。好ましくは、この凸形状の全体が縁部１１よりも下に位置している。より好ましくは、外周部１２の高さの上限（図４および図５における上方向への限界位置）は、縁部１１の高さとなっている。なお外周部１２には、音質向上のために襞ＷＲ（図１においてのみ図示）が形成されてもよい。
【００２２】
中央部１４は、矢印Ｖ２（図４および図５）に示すように、境界部１３を基準として下方向（表面Ｓ１から裏面Ｓ２に向かう厚さ方向）へ突出した凸形状を有する。つまり中央部１４は、境界部１３よりも下へ突出するような凸形状を有する。好ましくは、この凸形状の全体が境界部１３よりも下に位置している。より好ましくは、中央部１４の高さの上限（図４および図５における上方向への限界位置）は、境界部１３の高さとなっている。
【００２３】
フレーム２０は、振動板１０の縁部１１の裏面Ｓ２を支持する支持部２１を有する。支持部２１は、取付部材９２からの力が振動板１０へ伝達されるように、取付部材９２から、振動板１０の縁部１１の裏面Ｓ２へ延びている。フレーム２０は、たとえば合成樹脂から作られている。またフレーム２０は底面Ｔ２（第２の底面）を有する。
【００２４】
またフレーム２０は、厚さ方向において、振動板１０の外周部１２と、空間ＳＰを介して対向している。またフレーム２０は、空間ＳＰと、フレーム２０の外部の空間とを連通させる連通路２２（図５）を有する。好ましくは、連通路２２は支持部２１の外側側面ＯＳに開口部ＯＰを有する。開口部ＯＰは、支持部２１の上面（縁部１１を支持する面）から離れた位置であって、かつ底面Ｔ２を含む平面（後述する平面ＰＬ）上に配置されている。
【００２５】
磁気回路部３０は、ボイスコイル５０に磁界を印加するためのものであり、たとえば、ヨーク３１と、マグネット３２と、トップポール３３とを有する。
【００２６】
磁気回路部３０のヨーク３１は底面Ｔ１（第１の底面）を有する。底面Ｔ１は、フレーム２０の底面Ｔ２に取り囲まれている。底面Ｔ１およびＴ２は平面ＰＬ上に位置している。平面ＰＬ上には、取付部材９２の面も位置している。またヨーク３１は、フレーム２０の底面Ｔ２の反対の面上に位置する突起部ＲＴを有してもよい。
【００２７】
磁気回路部３０のマグネット３２は、ヨーク３１の上面（底面Ｔ１と反対の面）上に配置されている。磁気回路部３０のトップポール３３は、マグネット３２上に配置されており、強磁性体から作られている。好ましくは、厚さ方向において、磁気回路部３０と外周部１２との間のクリアランスＣ１は、磁気回路部３０と中央部１４との間のクリアランスＣ２よりも大きい。
【００２８】
カバー４０は、振動板１０の縁部１１を、フレーム２０の支持部２１との間に挟んでいる。カバー４０は、たとえば金属板から作られている。
【００２９】
ボイスコイル５０は、磁気回路部３０による磁界と、リード線５１から供給される電流との相互作用によって、ローレンツ力を受ける。これにより振動板１０の境界部１３を厚さ方向に沿って駆動することができる。リード線５１は、ボイスコイル５０から、振動板１０の外周部１２とヨーク３１との間を通って、さらにフレーム２０の外側へ引出されている。このリード線５１の引出しの目的で、フレーム２０の、振動板１０の縁部１１に面する面上に、溝部（図示せず）が設けられてもよい。
【００３０】
次に比較例のスピーカ１０９（図６）について説明する。
振動板１０Ｚの外周部１２Ｚは、矢印Ｗ１（図６）に示すように、矢印Ｖ１（図４）と反対方向、すなわち水圧方向と反対方向に突出した凸形状を有する。このため、外部から振動板１０Ｚに水圧Ｆｗが加わると、外周部１２Ｚの突出の方向が水圧方向と反対方向（図中、上方向）から水圧方向（図中、下方向）へと入れ替わるような振動板１０Ｚの変形が生じやすい。つまり凸形状の突出の方向が入れ替わるような振動板１０Ｚの大きな変形が生じやすい。
【００３１】
また振動板１０Ｚの中央部１４Ｚは、矢印Ｗ２（図６）に示すように、矢印Ｖ２（図４）と反対方向、すなわち水圧方向と反対方向に突出した凸形状を有する。このため、外部から振動板１０Ｚに水圧Ｆｗが加わると、中央部１４Ｚの突出の方向が水圧方向と反対方向（図中、上方向）から水圧方向（図中、下方向）へと入れ替わるような振動板１０Ｚの変形が生じやすい。つまり凸形状の突出の方向が入れ替わるような振動板１０Ｚの大きな変形が生じやすい。
【００３２】
また磁気回路部３０Ｚのヨーク３１Ｚの底面が、フレーム２０Ｚの底面よりも下方に位置しているので、取付部材９２の上面によって、ヨーク３１Ｚおよびフレーム２０Ｚのうち、ヨーク３１Ｚのみが押さえつけられてしまう。これにより、ヨーク３１Ｚのみが力Ｆｙで強く押さえつけられる。またこの力Ｆｙに抗してフレーム２０Ｚに力Ｆｃが作用する。つまりスピーカ１０９に、上方への力Ｆｙが中央部で作用し、下方への力Ｆｃが縁部で作用する。この結果、矢印ＢＤで示すように、スピーカ１０９が撓む変形が生じる。この変形によって、スピーカ１０９と筐体９０との間の密着性の低下にともなう水漏れが発生することがある。
【００３３】
また厚さ方向において、磁気回路部３０Ｚと外周部１２Ｚとの間のクリアランスＤ１は、磁気回路部３０Ｚと中央部１４Ｚとの間のクリアランスＤ２と同じである。これにより振動板１０Ｚが水圧によって厚さ方向、すなわち水圧方向に変位した際に、中央部１４Ｚおよび外周部１２Ｚの各々は磁気回路部３０Ｚに、同時に接触する。この際に外周部１２Ｚと磁気回路部３０Ｚとの間に挟み込まれることによってリード線５１が損傷し得る。
【００３４】
また、連通路２２Ｚはフレーム２０Ｚの底面に開口部ＯＺを有する。開口部ＯＺが塞がれるのを避けるためには、取付部材９２の上面がフレーム２０Ｚの底面から離れて配置される必要がある。この結果、フレーム２０Ｚの底面を取付部材９２の上面によって押さえつけることができず、ヨーク３１Ｚのみが押さえつけられる。これにより、上述したスピーカ１０９の撓みが生じやすくなる。
【００３５】
また外周部１２Ｚの突出方向が上方向であることから、カバー４０Ｚは、縁部１１よりも上方の空間を確保するために縁部１１から上方に延びている。このため、縁部１１の高さと筐体９０の高さとの間の体積が大きくなり、その分だけスピーカ１０９の体積が大きくなってしまう。よってスピーカ１０９が搭載される電機機器の小型化が困難となってしまう。
【００３６】
以上のように、比較例のスピーカ１０９は、種々の問題点を有する。
これに対して本実施の形態によれば、外周部１２が有する凸形状（図４および図５：矢印Ｖ１）は、表面Ｓ１から裏面Ｓ２に向かう厚さ方向（図中、下方向）、すなわち水圧方向に突出している。よって振動板１０に水圧がかかっても、外周部１２の突出の方向が水圧方向と反対方向から水圧方向へと入れ替わるような振動板１０の変形は生じない。よって突出の方向が入れ替わるような振動板１０の大きな変形を防止することができる。
【００３７】
またこの凸形状（図４および図５：矢印Ｖ１）は、水圧方向に縁部１１を基準として突出している。すなわち凸形状の部分は縁部１１よりも水圧方向に位置している。言い換えれば、縁部１１は、凸形状の部分よりも水圧方向と反対方向に位置している。これにより、水圧がかかった際、縁部１１は、凸形状の部分を水圧方向と反対方向に引っ張る。よって、凸形状の部分がその突出の方向を保ちつつ水圧方向に変位するような振動板１０の変形を抑制することができる。
【００３８】
また中央部１４が有する凸形状（図４および図５：矢印Ｖ２）は、表面Ｓ１から裏面Ｓ２に向かう厚さ方向（図中、下方向）、すなわち水圧方向に突出している。よって振動板１０に水圧がかかっても、中央部１４の突出の方向が水圧方向と反対方向から水圧方向へと入れ替わるような振動板１０の変形は生じない。よって突出の方向が入れ替わるような振動板１０の大きな変形を防止することができる。
【００３９】
また上記の中央部１４の凸形状は、水圧方向に境界部１３を基準として突出している。すなわち凸形状の部分は境界部１３よりも水圧方向に位置している。言い換えれば、境界部１３は、凸形状の部分よりも水圧方向と反対方向に位置している。これにより、水圧がかかった際、境界部１３は、凸形状の部分を水圧方向と反対方向に引っ張る。よって、凸形状の部分がその突出の方向を保ちつつ水圧方向に変位するような振動板１０の変形を抑制することができる。
【００４０】
また底面Ｔ１およびＴ２が共に平面ＰＬ上に位置しているので、ヨーク３１の底面Ｔ１のみでなくフレーム２０の底面Ｔ２を力Ｆｆ（図４）で押さえつけることができる。これにより、ヨーク３１のみが力Ｆｙ（図４）で強く押さえつけられる場合に比して、スピーカ１０１の変形（図６：矢印ＢＤ）が防止されるので、この変形にともなう水漏れが防止される。また突起部ＲＴ（図４）が設けられている場合、突起の下面がフレーム２０から分離してしまうことが防止される。
【００４１】
好ましくは、図４および図５に示すように、厚さ方向において、磁気回路部３０と外周部１２との間のクリアランスＣ１は、磁気回路部３０と中央部１４との間のクリアランスＣ２よりも大きい。これにより振動板１０が水圧によって厚さ方向、すなわち水圧方向に変位した際に、中央部１４が外周部１２よりも先に磁気回路部３０と接触する。この接触によって振動板１０の中央部１４が磁気回路部３０に支持されるので、振動板１０のさらなる変形が抑制される。この結果、外周部１２と磁気回路部３０との接触が防止されるので、外周部１２と磁気回路部３０との間に挟み込まれることによるリード線５１の損傷が防止される。
【００４２】
好ましくは、図５に示すように、連通路２２は支持部２１の外側側面ＯＳに開口部ＯＰを有する。これにより、開口部ＯＰがフレーム２０の底面Ｔ２ではなく外側側面ＯＳに設けられるので、フレーム２０の底面Ｔ２上に取付部材９２が配置されても、振動板１０の振動に伴う連通路２２を介した空気の流れＥＸが阻害されない。
【００４３】
（実施の形態２）
図７および図８を参照して、本実施の形態の電気音響変換装置としてのスピーカ１０２は、振動板１０（図４および図５）の代わりに振動板１０ｖを有する。振動板１０ｖは中央部１４（図４および図５）の代わりに中央部１４ｖを有する。中央部１４ｖは、厚さ方向（図中、下方向）へ最も突出した部分として平坦部を有する。これにより中央部１４ｖが厚さ方向、すなわち水圧方向へと変位して磁気回路部３０などの構造と接触した際の接触面積を大きくすることができる。よってこの接触に伴う中央部１４ｖの変形を抑制することができる。
【００４４】
なお上記以外の構成については、上述した実施の形態１の構成とほぼ同じであるため、同一または対応する要素について同一の符号を付し、その説明を繰り返さない。
【００４５】
（実施の形態３）
図９を参照して、本実施の形態の電気音響変換装置としてのスピーカ１０３は、フレーム２０（図４および図５）の代わりにフレーム２０ｖを有する。フレーム２０ｖの底面Ｔ２ｖ（第２の底面）は、ヨーク３１の底面Ｔ１よりも、厚さ方向（図中、下方向）へ突出している。これにより取付部材９２によって、ヨーク３１の底面Ｔ１に妨げられることなく、フレーム２０ｖの底面Ｔ２を容易に押さえつけることができる。よって、筐体９０に向かってヨーク３１のみが強く押さえつけられることに起因するスピーカ１０１の変形（図６の矢印ＢＤによって示す変形に類するもの）が防止されるので、この変形にともなう水漏れが防止される。
【００４６】
（実施の形態４）
図１０を参照して、本実施の形態の電気音響変換装置としてのスピーカ１０４は、支持部２１を有するフレーム２０（図４および図５）の代わりに、支持部２１ｗを有するフレーム２０ｗを含む。フレーム２０ｗは、空間ＳＰと、フレーム２０ｗの外部の空間とを連通させる連通路２２ｗを有する。連通路２２ｗは支持部２１ｗの外側側面ＯＳに開口部ＯＱを有する。開口部ＯＱは、支持部２１ｗの上面（縁部１１を支持する面）から離れた位置であって、かつ平面ＰＬから離れた位置に配置されている。つまり連通路２２ｗは、フレーム２０ｗの支持部２１ｗに設けられた貫通孔である。
【００４７】
なお上記以外の構成については、上述した実施の形態１の構成とほぼ同じであるため、同一または対応する要素について同一の符号を付し、その説明を繰り返さない。
【００４８】
上記の各実施の形態においては電気音響変換装置としてスピーカを例示したが、電気音響変換装置は振動板およびボイスコイルを有するものであればよく、たとえば、レシーバまたはマイクロフォンであってもよい。また説明の便宜上、「上方向」、「下方向」、「上方」、および「下方」などの文言が使用されているが、本明細書においてこれらの用語は、重力方向ではなく、振動板の裏面から表面に向かう方向に関連して定義される。たとえば「上方向」は、振動板の裏面から表面に向かう方向と定義され、「下方向」は、振動板の表面から裏面に向かう方向と定義される。
【００４９】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００５０】
本発明は、ボイスコイルが取り付けられた振動板を有する電気音響変換装置に特に有利に適用され得る。
【符号の説明】
【００５１】
１０，１０ｖ  振動板、１１  縁部、１２  外周部、１３  境界部、１４，１４ｖ  中央部、２０，２０ｖ，２０ｗ  フレーム、２１，２１ｗ  支持部、２２，２２ｗ  連通路、３０  磁気回路部、３１  ヨーク、３２  マグネット、３３  トップポール、４０  カバー、５０  ボイスコイル、５１  リード線、９０  筐体、９１  両面テープ、９２  取付部材、１０１〜１０４  スピーカ（電気音響変換装置）、ＯＰ，ＯＱ  開口部、Ｓ１  表面、Ｓ２  裏面、ＳＰ  空間、Ｔ１  底面（第１の底面）、Ｔ２，Ｔ２ｖ  底面（第２の底面）。
【図１】
2012010148.tif 000003
【図２】
2012010148.tif 000004
【図３】
2012010148.tif 000005
【図４】
2012010148.tif 000006
【図５】
2012010148.tif 000007
【図６】
2012010148.tif 000008
【図７】
2012010148.tif 000009
【図８】
2012010148.tif 000010
【図９】
2012010148.tif 000011
【図１０】
2012010148.tif 000012